(57)【要約】【課題】自動輝度調整を実施する場合において表示内容の視認性低下を防止することができる表示装置を提供すること。【解決方法】表示装置は、映像データに基づき、表示パネルの輝度調整値を算出する輝度調整値算出部と、複数の前記輝度調整値のそれぞれに関連づけて、複数の階調補正データを格納する階調補正データ格納部と、算出される前記輝度調整値に基づく輝度調整、及び算出される前記輝度調整値に応じた前記階調補正データに基づく階調補正を含む映像変換を、前記映像データに適用する映像変換部と、を含む。【選択図】図３
2019028411.tif 000002
【特許請求の範囲】
【請求項１】
映像データに基づき、表示パネルの輝度調整値を算出する輝度調整値算出部と、
複数の前記輝度調整値のそれぞれに関連づけて、複数の階調補正データを格納する階調補正データ格納部と、
算出される前記輝度調整値に基づく輝度調整、及び算出される前記輝度調整値に応じた前記階調補正データに基づく階調補正を含む映像変換を、前記映像データに適用する映像変換部と、
を含む表示装置。
【請求項２】
請求項１に記載の表示装置において、
前記映像データ補正部は、
算出される前記輝度調整値を前記映像データに含まれる複数の階調値のそれぞれに乗算して輝度調整を実施する輝度調整部と、
算出される前記輝度調整値に基づいて、前記階調補正データ格納部から少なくとも１つの前記階調補正データを読み出し、読みだされる階調補正データを前記映像データに含まれる前記複数の階調値のそれぞれに適用することにより、前記階調補正を実施する階調補正部と、を含む表示装置。
【請求項３】
請求項２に記載の表示装置において、
前記階調補正データは、入力階調値が大きくなるにつれて、より大きな出力階調値を示す、表示装置。
【請求項４】
請求項１乃至３のいずれかに記載の表示装置において、
前記階調補正データ格納部は、前記輝度調整値が小さくなるほど、より強くコントラストを向上させるための前記階調補正データを格納する、表示装置。
【発明の詳細な説明】
【技術分野】
【０００１】
本発明は表示装置に関し、特に表示装置の輝度制御に関する。
【背景技術】
【０００２】
従来、表示装置を備える電子機器は、当該表示装置の駆動に大きな電力を消費する。一般に、当該表示装置の表示パネルの輝度が高いほど、当該表示装置を駆動するために要する消費電力は増加する。そこで、映像データに応じて画面全体における画素の点灯率を演算し、点灯率が高くなるほど画面全体の輝度を低下させる、いわゆる自動輝度調整と呼ばれる映像制御を行う場合がある。ここで輝度低下は、全画素に対して一律割合で行われている。
【発明の概要】
【発明が解決しようとする課題】
【０００３】
しかしながら、画面全体において画素の点灯率が高い場合には、画素間の輝度差が小さいので、画面全体の輝度を一律の輝度調整値（ゲイン）で低下させると、表示内容の視認性が大きく低下する。
【０００４】
本発明は上記課題に鑑みてなされたものであって、その目的は、自動輝度調整を実施する場合において表示内容の視認性低下を防止することができる表示装置を提供することにある。
【課題を解決するための手段】
【０００５】
本発明の一側面に係る表示装置は、映像データに基づき、表示パネルの輝度調整値を算出する輝度調整値算出部と、複数の前記輝度調整値のそれぞれに関連づけて、複数の階調補正データを格納する階調補正データ格納部と、算出される前記輝度調整値に基づく輝度調整、及び算出される前記輝度調整値に応じた前記階調補正データに基づく階調補正を含む映像変換を、前記映像データに適用する映像変換部と、を含む。
【０００６】
本発明の一態様において、前記映像データ補正部は、算出される前記輝度調整値を前記映像データに含まれる複数の階調値のそれぞれに乗算して輝度調整を実施する輝度調整部と、算出される前記輝度調整値に基づいて、前記階調補正データ格納部から少なくとも１つの前記階調補正データを読み出し、読みだされる階調補正データを前記映像データに含まれる前記複数の階調値のそれぞれに適用することにより、前記階調補正を実施する階調補正部と、を含んでよい。
【０００７】
ここで、前記階調補正データは、入力階調値が大きくなるにつれて、より大きな出力階調値を示すものであってよい。
【０００８】
また、前記階調補正データ格納部は、前記輝度調整値が小さくなるほど、より強くコントラストを向上させるための前記階調補正データを格納するものであってよい。
【図面の簡単な説明】
【０００９】
【図１】本実施形態に係る表示装置を概略的に示す平面図である。
【図２】本実施形態に係る表示装置の表示画素の等価回路を示す図である。
【図３】本実施形態に係る表示装置の輝度制御動作を実行するためのコントローラの構成の一例を示すブロック図である。
【図４】本実施形態に係る階調補正データの一例を示すグラフである。
【図５】本実施形態に係る階調補正データの他の例を示す図である。
【発明を実施するための形態】
【００１０】
以下に、本発明の実施形態について、図面を参照しつつ説明する。なお、開示はあくまで一例にすぎず、当業者において、発明の主旨を保っての適宜変更について容易に想到し得るものについては、当然に本発明の範囲に包含されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
図１は、本実施形態に係る表示装置１００を概略的に示す平面図である。図１に示すように、表示装置１００は、有機ＥＬディスプレイ１及び当該有機ＥＬディスプレイ１の動作を制御するコントローラ２を備えている。
【００１２】
有機ＥＬディスプレイ１は、表示領域３、走査線駆動回路４及び信号線駆動回路５を有する。
【００１３】
表示領域３は、ガラスや樹脂等の絶縁基板上にマトリクス状に配列されたＰ×Ｑ個の表示画素ＰＸを備えている。そして、表示画素ＰＸの配列のライン（行）に沿ってゲート線Ｇａｔ（１〜Ｐ）が配置され、各ラインの表示画素ＰＸに接続されている。また、表示画素ＰＸの配列のカラム（列）に沿って映像信号配線Ｓｉｇ（１〜Ｑ）が配置され、各カラムの表示画素ＰＸに接続されている。更に、高電位の電源線Ｖｄｄと、低電位の電源線Ｖｓｓとが、各表示画素ＰＸに接続されている。
【００１４】
走査線駆動回路４は、ゲート線Ｇａｔ（１〜Ｐ）をライン順に駆動する。信号線駆動回路５は、映像信号配線Ｓｉｇ（１〜Ｑ）を駆動する。走査線駆動回路４、及び信号線駆動回路５は、表示領域３の外側で基板上に一体的に形成されており、コントローラ２と共に制御部６を構成している。
【００１５】
なお、表示領域３の各ラインにおいて、赤（Ｒ）表示用、緑（Ｇ）表示用、青（Ｂ）表示用の３種類の表示画素ＰＸが交互に並んで設けられている。
【００１６】
図２は、本実施形態に係る表示装置１００の表示画素ＰＸの等価回路を示す図である。表示画素ＰＸは、自発光素子である有機ＥＬ素子２０、及び当該有機ＥＬ素子２０に駆動電流を供給する画素回路１０を含んでいる。
【００１７】
画素回路１０は、電圧信号からなる映像信号に応じて有機ＥＬ素子２０の発光を制御する電圧信号方式を採用したものである。画素回路１０は、駆動トランジスタ１１、画素スイッチ１２、及びキャパシタとしての保持容量１３を有している。
【００１８】
本実施形態に係る表示装置１００において、駆動トランジスタ１１及び画素スイッチ１２は、同一の工程及び層構造で形成された薄膜トランジスタ（ＴＦＴ：Ｔｈｉｎ  Ｆｉｌｍ  Ｔｒａｎｓｉｓｔｏｒ）により構成されている。ここでは駆動トランジスタ１１及び画素スイッチ１２は、同一導電型であるＮチャネル型のＴＦＴであり、例えば半導体層にＩＧＺＯ、ａ−Ｓｉ、もしくはポリシリコン等を用いたトップゲート構造のＴＦＴである。なお、駆動トランジスタ１１及び画素スイッチ１２は、Ｎチャネル型に限らず、スイッチとして機能すればＰチャネル型であってもよい。
【００１９】
駆動トランジスタ１１及び画素スイッチ１２は、それぞれソース電極、ドレイン電極、及びゲート電極を有する。
【００２０】
画素回路１０において、例えば緑（Ｇ）表示用の表示画素ＰＸでは、駆動トランジスタ１１は、高電位の電源線Ｖｄｄと低電位の電源線Ｖｓｓとの間で有機ＥＬ素子２０と直列に接続されている。電源線Ｖｄｄは、例えば１０Ｖの電位に設定され、電源線Ｖｓｓは、例えば−４Ｖの電位に設定される。
【００２１】
駆動トランジスタ１１は、映像信号に応じた電流量の駆動電流を有機ＥＬ素子２０に出力し、有機ＥＬ素子２０の陰極は、電源線Ｖｓｓに接続されている。
【００２２】
画素スイッチ１２は、そのドレイン電極が映像信号配線Ｓｉｇに接続され、ソース電極が駆動トランジスタ１１のゲート電極に接続されている。画素スイッチ１２のゲート電極はゲート線Ｇａｔに接続され、当該ゲート線Ｇａｔから供給される制御信号ＳＧによりオン、オフ制御される。そして、画素スイッチ１２は、制御信号ＳＧに応答して、画素回路１０と映像信号配線Ｓｉｇとの接続及び非接続を制御し、対応する映像信号配線Ｓｉｇから映像電圧信号を画素回路１０に取り込む。
【００２３】
保持容量１３は、対向する２つの端子を有し、駆動トランジスタ１１のゲート電極とソース電極との間に接続され、映像信号により決定される駆動トランジスタ１１のゲート−ソース間の制御電位を保持する。
【００２４】
一方、図１に示すコントローラ２は、例えば有機ＥＬディスプレイ１の外部に配置されたプリント回路基板上に形成され、走査線駆動回路４及び信号線駆動回路５を制御する。コントローラ２は外部から供給されるデジタル形式の映像データ３０及び同期信号を受け取り、垂直走査タイミングを制御する垂直走査制御信号、及び水平走査タイミングを制御する水平走査制御信号を、同期信号に基づいて発生させる。
【００２５】
コントローラ２は、これら垂直走査制御信号及び水平走査制御信号をそれぞれ走査線駆動回路４及び信号線駆動回路５へ供給すると共に、水平及び垂直走査タイミングに同期して映像データ３０を信号線駆動回路５に供給する。
【００２６】
信号線駆動回路５は、水平走査制御信号の制御により各水平走査期間において順次得られる映像データをアナログ形式に変換し、映像データに応じた赤（Ｒ）用映像電圧信号、緑（Ｇ）用映像電圧信号、青（Ｂ）用映像電圧信号を含む複数階調の階調電圧信号Ｖｓｉｇを、映像信号配線Ｓｉｇ（１〜Ｑ）へ並列的に供給する。
【００２７】
走査線駆動回路４は、シフトレジスタや出力バッファ等を含み、外部から供給される垂直走査スタートパルスを順次次段に転送し、図１及び図２に示すように、各ラインの表示画素ＰＸへ制御信号ＳＧ（１〜Ｐ）を供給する。これにより、ゲート線Ｇａｔ（１〜Ｐ）は、制御信号ＳＧ（１〜Ｐ）により駆動される。
【００２８】
図３は、本実施形態の表示装置１００の輝度制御動作を実行するためのコントローラ２の構成例を示すブロック図である。なお、図３に示すコントローラ２は、輝度制御動作に関連する部位を中心に記載されている。
【００２９】
外部に設けられたプロセッサ７は、デジタル映像信号である映像データ３０と同期信号３１とをコントローラ２へ送る。ここで、プロセッサ７は、例えば電子機器に組み込まれているものである。なお、映像データ３０をコントローラ２へ出力する装置は、プロセッサ７に限られず、例えばメモリ装置などでもよい。
【００３０】
コントローラ２は、プロセッサ７から送信された映像データ３０の画質改善、また自動輝度調整機能を利用する場合は、輝度及びコントラストの調整処理を含む、各種の映像変換を行う。そしてコントローラ２は、これらの映像変換を行った映像データ（変換済み映像データ３６）と、前述の同期信号に基づくタイミング信号と、を有機ＥＬディスプレイ１に出力する。有機ＥＬディスプレイ１では、駆動回路（走査線駆動回路４及び信号線駆動回路５）がコントローラ２から送られる変換済み映像データ３６とタイミング信号とに基づいて、表示領域３の表示画素ＰＸを駆動して映像を表示する。
【００３１】
なお、前述のように、コントローラ２と駆動回路（走査線駆動回路４及び信号線駆動回路５）とで制御部６が構成される。
【００３２】
続いて、コントローラ２の構成について説明する。コントローラ２は、レシーバ４０及び映像変換部５０を備える。
【００３３】
レシーバ４０は、プロセッサ７からライン毎の映像データ３０を受け取り、受け取った映像データ３０をライン毎に映像変換部５０へ送る。
【００３４】
映像変換部５０は、レシーバ４０からライン毎に映像データ３０を受け、表示で消費される電力を抑制するため、当該映像データ３０の輝度を調整する。また、当該輝度調整によるコントラスト低下を抑制するため、当該映像データ３０の表示階調を補正する。
【００３５】
映像変換部５０は、自動輝度調整値演算部５１、輝度調整部５２、階調補正データ格納部５３、階調補正部５４及びガンマ補正部５５を備え、さらに自動輝度調整値演算部５１は、ライン毎消費電力演算部５１ａ、表示領域消費電力演算部５１ｂ及び輝度調整値算出部５１ｃを備える。
【００３６】
ライン毎消費電力演算部５１ａは、ライン毎の映像データ３０の輝度に基づき、数式（１）に従って消費電力をライン毎に計算する。例えば、表示領域３の１ライン毎の映像データ３０の輝度に、消費電力に変換するための係数が乗算される。
Ｗｌｉｎｅｉ＝Σ（Ｒｉｎ(ｉ)×ＫＲ＋Ｇｉｎ(ｉ)×ＫＧ＋Ｂｉｎ(ｉ)×ＫＢ）      …  （１）
【００３７】
この数式（１）において、Ｗｌｉｎｅｉは、表示領域３のｉライン目の映像データ３０に関する消費電力である。ｉライン目の映像データ３０に含まれる赤画素の階調値（画素値）はＲｉｎ(ｉ)、緑画素の階調値はＧｉｎ(ｉ)、及び青画素の階調値はＢｉｎ(ｉ)であり、赤画素の階調値を消費電力に変換する係数はＫＲ、緑画素の輝度を消費電力に変換する係数はＫＧ、及び青画素の輝度を消費電力に変換する係数はＫＢである。
【００３８】
表示領域消費電力演算部５１ｂは、表示領域３の映像データ３０を表示するために必要な消費電力（表示領域消費電力３１：Ｗ）について、数式（２）に従って算出する。例えば、１ライン目からｎライン目までの表示領域消費電力３１は、ライン毎消費電力演算部５１ａで算出された１ライン毎の消費電力のうち、１ライン目からｎライン目までの消費電力を積算することで求めることができる。ここで、ｎは、表示領域３の最終ラインの番号であってよい。
Ｗ＝ΣＷｌｉｎｅｉ      …  （２）
【００３９】
輝度調整値算出部５１ｃは、表示領域消費電力３１に基づき、表示フレーム毎に輝度調整値３２を算出する。例えば、数式（３）に従って、輝度調整値Ｌ（符号３２）は、表示領域消費電力Ｗ（符号３１）の関数であり、表示領域消費電力演算部５１ｂで算出された表示領域消費電力Ｗから表示領域３の輝度調整値Ｌが算出される。なお、輝度調整値Ｌは、表示により消費される電力が十分に抑制される程度の小さい値とし、例えば１より小さい値である。例えば、表示領域消費電力Ｗが０である場合に輝度調整値Ｌは１となり、Ｗが大きくなるにつれて輝度調整値Ｌはリニアに小さくなってよい。あるいは、表示領域消費電力Ｗが０である場合に輝度調整値Ｌは１となり、Ｗが閾値を超えると、そこから輝度調整値Ｌはリニアに小さくなってよい。
Ｌ＝ｆ（Ｗ）      …  （３）  
【００４０】
輝度調整値算出部５１ｃは輝度調整値Ｌを算出後、当該輝度調整値Ｌを輝度調整部５２及び階調補正部５３へ送る。
【００４１】
輝度調整部５２は、レシーバ４０からライン毎の映像データ３０を受け、更に、輝度調整値算出部５１ｃから送られる輝度調整値Ｌを受ける。そして、数式（４）から数式（６）に従って、１フレーム分の映像データ３０に対して、輝度調整値Ｌが適用された映像データである輝度調整映像データ３３を算出する。すなわち輝度調整映像データ３３には、赤画素の階調値Ｒｉｎ＿Ｌ、緑画素の階調値Ｇｉｎ＿Ｌ、及び青画素の階調値Ｂｉｎ＿Ｌが含まれる。数式（４）から数式（６）に示すように、輝度調整部５２では、各階調値に、その値の大小によらず一律の輝度調整値Ｌが乗算される。
Ｒｉｎ＿Ｌ＝Ｌ×Ｒｉｎ      …  （４）
Ｇｉｎ＿Ｌ＝Ｌ×Ｇｉｎ      …  （５）
Ｂｉｎ＿Ｌ＝Ｌ×Ｂｉｎ      …  （６）
【００４２】
階調補正部５３はまず、輝度調整部５２から輝度調整映像データ３３を受け、更に、輝度調整値算出部５１ｃから輝度調整値Ｌを受ける。この時、当該輝度調整値Ｌに基づいて、輝度調整映像データ３３の階調補正を行うための階調補正データ３４を、階調補正データ格納部５４へ要求する。
【００４３】
階調補正データ格納部５４は、複数の輝度調整値のそれぞれに関連づけて、複数の階調補正データを記憶している。そして、階調補正部５３からの輝度調整値Ｌを受け取ると、該輝度調整値Ｌに対応する階調補正データを選択的に読み出し、それを送り返す。階調補正データ格納部５４は、例えば、輝度調整値演算部５１ｃにより算出された輝度調整値Ｌに最も近い輝度調整値に関連づけられた階調補正データを選択してよい。階調補正データは、入力階調値と出力階調値との関係を示すものであり、階調補正部５３は、輝度調整部５２から輝度調整映像データ３３に含まれる階調値を、階調補正データに示される出力階調値に置き換える。
【００４４】
階調補正部５３により生成された階調補正映像データ３５はガンマ補正部５５に送られる。ガンマ補正部５５は、階調補正映像データ３５に対してガンマ補正処理を実行して変換済み映像データ３６を生成し、走査線駆動回路４及び信号線駆動回路５に送る。なお、以上の実施形態では、輝度調整部５２での輝度調整、階調補正部５３での階調補正、ガンマ補正部５５におけるガンマ補正を、別々に行うこととしたが、それらのうち全部または一部の処理を一括して行ってよいのはもちろんである。
【００４５】
走査線駆動回路４及び信号線駆動回路５は、変換済み映像データ３６をアナログの階調電圧信号Ｖｓｉｇに変換し、映像信号配線Ｓｉｇを介して表示領域３の画素回路１０へ供給する。
【００４６】
図４は、階調補正データの一例を模式的に示している。同図において横軸が入力階調（補正前の階調、すなわち輝度調整映像データ３３）であり、縦軸が出力階調（補正後の階調、すなわち階調補正映像データ３５）である。同図に示される入力階調及び出力階調の複数の関係が、それぞれ階調補正値Ｌに関連づけて階調補正データとして階調補正データ格納部５４に格納されている。
【００４７】
同図において、輝度調整部５２において輝度調整がされない場合、すなわち輝度調整値Ｌが１の場合、一点鎖線に示されるように、階調補正データは傾き１の直線を示すものとなる。輝度調整部５２において輝度調整がされる場合、すなわち輝度調整値Ｌが１未満の場合、階調補正データは、輝度調整値Ｌの大きさによって異なるプロファイルの曲線を示すものとなる。
【００４８】
すなわち、輝度調整値Ｌが１未満の場合、例えば輝度調整値Ｌが０．８の場合、実線に示されるように、階調補正データは入力階調値が小さな値をとる間は、輝度調整値Ｌが１の場合の階調補正データ（一点鎖線）より小さな値をとる。また、入力階調値が所定値において輝度調整値Ｌが１の場合の階調補正データと同じ値をとる。そして、入力階調値が上記所定値より大きな値をとる間は、輝度調整値Ｌが１の場合の階調補正データより大きな値をとる。同図において、実線に示される階調補正データは、出力階調値の入力階調値に対する比が単調に増加するものである。
【００４９】
また、輝度調整値Ｌがさらに小さい場合、例えば輝度調整値Ｌが０．５の場合、破線に示されるように、階調補正データは入力階調値が小さな値をとる間は、輝度調整値Ｌが０．８の場合の階調補正データ（実線）よりさらに小さな値をとる。また、入力階調値が上記所定値において輝度調整値Ｌが１の場合の階調補正データ、及び輝度調整値Ｌが０．８の場合の階調補正データと同じ値をとる。そして、入力階調値が上記所定値より大きな値をとる間は、輝度調整値Ｌが０．８の場合の階調補正データよりさらに大きな値をとる。同図において、破線に示される階調補正データも、出力階調値の入力階調値に対する比が単調に増加するものである。ただし、比の増加率は破線に示される階調補正データの方が大きい。
【００５０】
図４に示すように、階調補正データは、入力階調値が大きくなるにつれて、より大きな出力階調値を記憶するものである。また、図４において、破線に示される階調補正データは、実線に示される階調補正データより、強くコントラストを向上させるものである。すなわち、階調補正データ格納部５４は、輝度調整値Ｌが小さくなるほど、より強くコントラストを向上させる階調補正データを格納している。
【００５１】
なお、輝度調整値Ｌが１未満の場合の階調補正データは、途中までが一点鎖線で示される階調補正データよりも小さな値をとり、途中から一点鎖線で示される階調補正データよりも大きな値をとる。これにより、映像データを表示する際の消費電力が大きく変動しないようにしている。
【００５２】
図４に示される階調補正データを用いれば、輝度調整値Ｌが小さく、自動輝度調整が強く働く場合にも、それに応じて強くコントラストを向上させる処理が実行されるので、視認性を低下させることがない。
【００５３】
図５は、階調補正データの他の例を模式的に示す図である。同図に示す、各輝度調整値Ｌに対応する階調補正データも、輝度調整値Ｌが小さくなるほど、より強くコントラストを向上させるようになっている。また、輝度調整値Ｌが１未満の場合の階調補正データは、途中までが一点鎖線で示される階調補正データよりも小さな値をとり、途中から一点鎖線で示される階調補正データよりも大きな値をとる。これにより、映像データを表示する際の消費電力が大きく変動しないようにしている。
【００５４】
図４に示される階調補正データと異なり、図５に示される階調補正データでは、出力階調値の入力階調値に対する比が単調に増加せず、途中で該比が最大値をとり、その後は該比が元の値に戻る。ただし、輝度調整値Ｌが小さくなるほど、比の最大値は大きくなる。このようにしても、輝度調整値Ｌが小さくなるほど、強くコントラストを向上させることができる。
【００５５】
本発明の思想の範疇において、当業者であれば、各種変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【００５６】
また、本実施形態において述べた態様よりもたらされる他の作用効果について本明細書記載から明らかなもの、又は当業者において適宜想到し得るものについては、当然に本発明によりもたらされるものと解される。
【符号の説明】
【００５７】
１  有機ＥＬディスプレイ、２  コントローラ、３  表示領域、４  走査線駆動回路、５  信号線駆動回路、６  制御部、７  プロセッサ、１０  画素回路、１１  駆動トランジスタ、１２  画素スイッチ、１３  保持容量、２０  有機ＥＬ素子、２９  同期信号、３０  映像データ、３１  表示領域消費電力、３２  輝度調整値、３３  輝度調整映像データ、３４  階調補正データ、３５  階調補正映像データ、３６  変換済み映像データ、４０…レシーバ、５０…映像変換部、５１…自動輝度調整値演算部、５１ａ…ライン毎消費電力演算部、５１ｂ…表示領域消費電力演算部、５１ｃ…輝度調整値算出部、５２…輝度調整部、５３…階調補正データ格納部、５４…階調補正部、５５…ガンマ補正部、１００…表示装置、Ｇａｔ…ゲート線、Ｓｉｇ…映像信号回路、ＰＸ…表示画素、ＳＧ…制御信号、Ｖｓｉｇ…階調電圧信号、Ｖｄｄ…高電位電源線、Ｖｓｓ…低電位電源線。
【図１】
2019028411.tif 000003
【図２】
2019028411.tif 000004
【図３】
2019028411.tif 000005
【図４】
2019028411.tif 000006
【図５】
2019028411.tif 000007